(57)【特許請求の範囲】
【請求項１】
ネズミ捕獲器本体に着脱可能に固定されたネズミ捕獲部分は使用時に出入口が見える両口とも開いた捕獲パイプと、該捕獲パイプの中に餌を入れネズミが捕獲パイプの中を通過するのを確認する小動物感知センサーと、該センサーがネズミを感知すると捕獲パイプの両入口を遮断する遮断扉とを備えたネズミ捕獲器であって、前記捕獲パイプは、両口付近にパイプ半分までの切り込みを有し、前記捕獲パイプでネズミを捕獲すれば前記切り込みに差し込んで出口を塞ぐ円形の蓋を備えたことを特徴とするネズミ捕獲器。
【請求項２】
前記ネズミ捕獲器本体は、中央部に捕獲パイプに向かって小動物感知センサーを固定し、その後部の上にモーター、下に電池が配置されており、モーターの軸には滑車を２個取り付け、滑車の横方向左右に１つの滑車は右巻きもう１つの滑車は左巻きの無伸縮ロープ、そのロープに接続した引き抜き棒があり、小動物感知センサーが作動しモーターが回転すると、左右の引き抜き棒が内側の方向へ動き、両側のバネで遮断する扉のかかりをはずし捕獲パイプの出入口を塞いでネズミを捕獲し又、引き抜き棒と仕掛け止めの接触で回路が働き、はずれることでモーターが止まることを特徴とする請求項１記載のネズミ捕獲器。
【発明の詳細な説明】
【技術分野】
【０００１】  本発明は、小動物感知センサーと捕獲パイプを使用し、ネズミを捕獲するものである。
【背景技術】
【０００２】  従来のネズミ捕獲器は鉄製のカゴ式、接着式などがある。接着式の一つに（例えば、特許文献１参照。）センサー感知で本体が駆動、粘着シートで挟み込むものがある。又、筒の内側の粘着シートでネズミを捕獲するものもある。（例えば、特許文献２参照。）
【特許文献１】特開２００３−１３０  公報
【特許文献２】実用新案登録第３０９５２８０号  公報
【発明の開示】
【発明が解決しようとする課題】
【０００３】  ネズミは、鉄柵など細長い線状のものを嫌う本能を身につけているのか、従来からある鉄製のカゴ式捕獲器の中になかなか入らない。接着式捕獲器にしても、嗅覚が強いネズミは用心深く捕獲するのは大変困難である。又、接着式は中心部でネズミを捕獲できれば理想であるが、粘着シートの端にかかった場合小さいネズミは少ししか暴れないが、大型ネズミになると牙をむき捕獲器ごと動き回り処理が大変である。
【課題を解決するための手段】
【０００４】  本発明のネズミ捕獲器は、本体から着脱可能なネズミ捕獲パイプを使用している。捕獲パイプは、両口付近にネズミ捕獲後円形の蓋を差し込む為に、パイプ半分までの切り込み、又、パイプの中央部には小動物感知センサー作動用の切り込み穴がある細長い筒で、使用時は両口とも開いているのが特徴である。ネズミ捕獲器本体は、中央部に捕獲パイプに向かって小動物感知センサーを固定し、その後部の上にモーター、下に電池を配置している。モーターの軸には滑車を２個取り付け、滑車の横方向左右に滑車から無伸縮ロープ、引き抜き棒がある。そして、両側にバネで遮断する扉を設けた構造である。ネズミ捕獲器本体に捕獲パイプを取り付け、周りやパイプの中に餌をまいてネズミを誘い、両口が開いているパイプでネズミに安心感を与え入りやすくした。中に入れば、中間点で小動物感知センサーが作動し、そしてモーターを動かしパイプの両口を遮断するネズミ捕獲器である。
【発明の効果】
【０００５】  捕獲部分に、ネズミの生活圏にある通路の一つ、排水パイプを使用することや、使用時に両口の開いたパイプでネズミに安心感を与えパイプの中に入りやすくしている。その捕獲パイプの中に餌を置くだけで仕掛けを設けず、パイプの外に配置した小動物感知センサーで感知し、両口を同時に塞ぐのでネズミを捕獲しやすくした。
【発明を実施するための最良の形態】
【０００６】  前記以外で、本発明のネズミ捕獲器は、本体、捕獲パイプが同一のもので、もう一つの使用方法がある。それは、片方の遮断扉を閉め、もう片方の入口だけ使用しネズミを捕獲する事ができる。この方法は特にすばやいネズミの場合有効である。【０００７】  本発明のネズミ捕獲器の使用方法を説明する。まずネズミがどんな種類の餌に食いつくか穀物類、肉類等をネズミの通路に置いてみる。餌の好みがわかれば、次にネズミ捕獲器をネズミの通路に置き、センサースイッチを入れずに捕獲パイプの中に前記で調べた好みの餌を入れてみる。用心深いネズミが捕獲パイプの中に入る事が確認できればセンサースイッチを入れてネズミ捕獲器を仕掛ける。【０００８】  捕獲パイプの長さは、ネズミの体長の２倍以上、プラス捕獲器が両入口を遮断する時間にネズミが反応する距離が最低の長さで、捕獲パイプの長さ、径を決定しネズミ捕獲器の本体を作る。両方揃うと、まずネズミ捕獲器本体に捕獲パイプの中央にあるセンサー感知穴を小動物感知センサーに向けて固定し、両側の遮断扉を引き抜き棒で止め、かかり調整ネジで接点を最小に合わす。それをネズミの通路に置き、台のがたつきを直し、パイプの中及び周りに餌をまき仕掛けが完了する。ネズミ捕獲後、捕獲パイプの両切り込みに蓋を差込み、それをネズミ捕獲器本体から取り外し、ネズミを他容器に移して殺処分する。
【実施例】
【０００９】  以下に、添付図面に従って実施例を説明する。図１（イ）は、ネズミ捕獲器の平面図である。捕獲パイプ１をネズミ捕獲器本体に固定する。次に両側の遮断扉１４をずらし、引き抜き棒１１に仕掛け止め１２をかける。それをネズミの通路に置き、がたつき調整ネジ４で台を調整し、捕獲パイプ１の中に餌をまく。電池６で小動物感知センサー５を作動させる。ネズミがセンサー感知穴３を通過すると、センサースイッチでモーター７が回転し、引き抜き棒１１が滑車１５に向かって動き、仕掛け止め１２から離れ遮断扉１４で捕獲パイプ１の両口を閉じる。捕獲後、捕獲パイプ１の両側にあるパイプ切り込み２に蓋をして、ネズミ捕獲器から取り外し、ネズミを処理する。【００１０】図１（ロ）は、滑車１５に対し、無伸縮ロープ８は左方向で左巻き、右方向で逆の右巻きとし、モーター７の回転により、内方向へ同時に左右の引き抜き棒１１を動かす。かかり調整ネジ９は、図１（イ）の仕掛け止め１２と、引き抜き棒１１との接点を調節する場合使用する。
【実施例】
【００１１】  図２（イ）は、捕獲パイプ１を固定バンド１６で固定し、ネズミの通路に置いたネズミ捕獲器を、がたつき調整ネジ４で直す。遮断扉１４を左方向へ引き、仕掛け止１２を引き抜き棒１１にかける。ネズミ捕獲器が作動すると、引き抜き棒１１が抜け遮断扉バネ１３にて遮断扉１４を閉める。図２（ロ）で小動物感知センサー５は、捕獲パイプ１のセンサー感知穴３を向き、ネズミが通過するとセンサースイッチでモーター７を動かす。【００１２】  図３（イ）で、左右の無伸縮ロープ８は、モーター７の回転方向に回り引き抜き棒１１を引く。遮断扉１４が閉まればバネ１０により引き抜き棒１１は元に戻る。図３（ロ）は、遮断扉１４の上下に遮断扉バネ１３を取り付け、バネにより捕獲パイプ１の両入口を塞ぐ。【００１３】  図４（イ）は、小動物感知センサー５作動用回路でネズミを待ち受ける。（ロ）は、ネズミ捕獲器作動用回路である。仕掛け止め１２と引き抜き棒１１の接触で回路が働き、小動物感知センサー５でネズミを感知するとセンサースイッチが入りモーター７が回転、引き抜き棒１１を引き遮断扉１４を閉める。そこで、回路が切断されるのでモーター７は止まる。
【図面の簡単な説明】
【００１４】
【図１】（イ）は本発明に係るネズミ捕獲器の実施例を示す平面図  （ロ）はモーター周辺平面図である
【図２】（イ）は図１（イ）におけるＡ−Ａ線断面図、（ロ）はＢ−Ｂ線断面図である
【図３】（イ）はネズミ捕獲器正面図、（ロ）は（イ）におけるＡ−Ａ線拡大図である
【図４】（イ）（ロ）はネズミ捕獲器配線図である
【符号の説明】
【００１５】１  捕獲パイプ                          ９  かかり調整ネジ
２  パイプ切り込み                      １０  バネ
３  センサー感知穴                      １１  引き抜き棒
４  がたつき調整ネジ                    １２  仕掛け止め
５  小動物感知センサー                  １３  遮断扉バネ
６  電池                                １４  遮断扉
７  モーター                            １５  滑車
８  無伸縮ロープ                        １６  固定バンド
【要約】
【課題】  本発明は捕獲パイプ、小動物感知センサーを使用し、ネズミを捕獲しやすくした。
【解決手段】  本発明は、ネズミ捕獲器本体に小動物感知センサー５を設け、両口の開いた捕獲パイプ１でネズミに安心感を与え捕獲パイプ１の中に入りやすくし、ネズミが通過すると小動物感知センサー５が作動し両口を瞬時に遮断することでネズミを捕獲しやすくしている。
【選択図】図１【図１】
0004296524.tif 000002
【図２】
0004296524.tif 000003
【図３】
0004296524.tif 000004
【図４】
0004296524.tif 000005